(57)【要約】【課題】満充電を正確に検出することにより、過充電による２次電池の発熱等に係わる事故の防止を可能にする２次電池の充電制御方法および情報処理装置を提供する。【解決手段】電流計５０のオフセット値を補正するためのオフセット補正値をＥＥＰＲＯＭ２４に予め保存しておき、ＥＣ３０はこのＥＥＰＲＯＭ２４からオフセット補正値を読み出してＥＣ３０に内蔵したＲＡＭ３１に書き込む。ＥＣ３０はＲＡＭ３１からオフセット補正値を読み出して電流計５０の検出した２次電池２１の充電電流を補正する。補正後の充電電流が予め設定した閾値以下になった場合、２次電池２１は満充電状態になったと判定し充電を停止する。【選択図】図２
2010130872.tif 000002
【特許請求の範囲】
【請求項１】
２次電池の充電電流を電流検出手段で検出し、前記電流検出手段で検出された充電電流に基づいて充電を制御する２次電池の充電制御方法であって、
不揮発性メモリから前記電流検出手段のオフセット補正値を読み出し、揮発性メモリに書き込むステップと、
前記２次電池の充電を開始するステップと、
前記電流検出手段が充電電流を検出するステップと、
前記電流検出手段が検出した充電電流を前記揮発性メモリに書き込まれた前記オフセット補正値で補正するステップと、
補正後の充電電流が所定値以下の場合に、前記２次電池は満充電状態と判定して充電を停止するステップと、
を備えることを特徴とする２次電池の充電制御方法。
【請求項２】
前記電流検出手段のオフセット値を検出するステップをさらに備え、
前記検出されたオフセット値で、前記揮発性メモリに記憶されているオフセット補正値を書き換えることを特徴とする請求項１に記載の２次電池の充電制御方法。
【請求項３】
前記揮発性メモリに記憶されているオフセット補正値と、前記不揮発性メモリに記憶されているオフセット補正値との差が所定値以上である場合には、前記不揮発性メモリのオフセット補正値を前記揮発性メモリのオフセット補正値で書き換えることを特徴とする請求項１または請求項２に記載の２次電池の充電制御方法。
【請求項４】
前記不揮発性メモリは、前記電流検出手段の周辺温度をさらに記憶しており、前記２次電池の充電時の前記電流検出手段の周辺温度と、前記不揮発性メモリに記憶されている前記周辺温度との差が所定値以上である場合には、前記不揮発性メモリのオフセット補正値を前記揮発性メモリのオフセット補正値で書き換えることを特徴とする請求項１〜３のいずれか１項に記載の２次電池の充電制御方法。
【請求項５】
２次電池を搭載した情報処理装置であって、
前記２次電池の充電電流を検出する電流検出手段と、
前記電流検出手段のオフセット補正値を記憶する不揮発性メモリと、
揮発性メモリを有し前記２次電池の充電を制御する制御手段と、を備え、
前記制御手段は、前記不揮発性メモリのオフセット補正値を読み出して前記揮発性メモリに書き込み、
前記電流検出手段が検出した充電電流を前記揮発性メモリに記憶された前記オフセット補正値で補正して、
補正後の充電電流が所定値以下の場合に満充電状態と判定して充電を停止するように制御することを特徴とする情報処理装置。
【請求項６】
前記制御手段は、前記電流検出手段のオフセット値を検出し、前記検出されたオフセット値で、前記揮発性メモリに記憶されているオフセット補正値を書き換えることを特徴とする請求項５に記載の情報処理装置。
【請求項７】
前記制御手段は、前記揮発性メモリに記憶されているオフセット補正値と、前記不揮発性メモリに記憶されているオフセット補正値との差が所定値以上である場合には、前記不揮発性メモリのオフセット補正値を前記揮発性メモリのオフセット補正値で書き換えることを特徴とする請求項５または請求項６に記載の情報処理装置。
【請求項８】
前記不揮発性メモリは、前記電流検出手段の周辺温度をさらに記憶しており、
前記制御手段は、前記２次電池の充電時の前記電流検出手段の周辺温度と、前記不揮発性メモリに記憶された前記周辺温度との差が所定値以上である場合には、前記不揮発性メモリのオフセット補正値を前記揮発性メモリのオフセット補正値で書き換えることを特徴とする請求項５〜７のいずれか１項に記載の情報処理装置。
【発明の詳細な説明】
【技術分野】
【０００１】
本発明は、２次電池（バッテリー）を搭載したパーソナルコンピュータ等の情報処理装置に関わり、特に２次電池の充電技術に関わるものである。
【背景技術】
【０００２】
携帯して使用できる情報処理装置、特にノート型のパーソナルコンピュータ（以下、「パソコン」と略記する）は、外部電源から充電可能なリチウムイオン電池などの２次電池（以下、「電池」ともいう）を搭載している。この場合、電池は使用に伴い電圧が低下するため充電する必要がある。パソコンは、電池の充電を制御するための充電制御部を内蔵しており、商用電源に接続したＡＣアダプタを接続すれば、最適な充電制御によって予め設定された充電状態、例えば、満充電状態（電池の最大容量にまで充電した状態）まで充電を行うように設計されている。充電制御部は、充電電流、電池電圧や充電時の電圧上昇勾配等の電池の特性値等に基づいて満充電状態を検知する。ところが、充電電流の検出に関し、電流計にはオフセット（電池の満充電状態における電流）があり、製造時のロットのばらつきや電流計の温度特性等によりオフセットの数値（以下、「オフセット値」と略記する）が変動する。このため、満充電の状態を正しく検出することができない場合は、電池が過充電（容量以上に充電）となり、電池が異常に発熱するなどの現象が発生し、事故の原因となることが課題となっている。
【０００３】
これに対して、従来、オフセット値の変動を補正するための補正値（以下、「オフセット補正値」と略記する）をマイコン内部に備えるＲＡＭ（Ｒａｎｄｏｍ  Ａｃｃｅｓｓ  Ｍｅｍｏｒｙ）に記憶する方法の他、２次電池の残存容量の検出方法に関し、オフセット補正値を不揮発性メモリ（フラッシュメモリ）に記憶させて電流値の積算を補正し、残存容量を算出する方法（例えば、特許文献１を参照）などが開示されている。
【特許文献１】特開２０００−１３７０６２号公報
【発明の開示】
【発明が解決しようとする課題】
【０００４】
しかしながら、ＲＡＭにオフセット補正値を記憶させる従来の方法は、パソコンの工場出荷時やマイコンのリセット時にはＲＡＭの記憶内容が消去されるため、一旦、電池を満充電にしないとオフセット補正値を再設定することができない。この場合、再設定するにあたり、オフセット補正値に基づく満充電の判定が不可能であり、満充電の判定精度が悪くなる。したがって、満充電状態を正しく検出することができない。例えば、予め所定の電流閾値を設定しておき、充電電流がこの電流閾値を下回ると満充電状態になったと判定するとする。電流計のオフセット値が電流閾値よりも大きい場合には、実際には満充電になっているにも係わらず満充電状態を検出することができない。その結果、充電をさらに継続して過充電の状態になる場合がある。一方、電流閾値を電流計のオフセット値よりも十分大きくして設定しておけば過充電は避けることができるが、その場合は逆に、満充電に達する前に充電が停止してしまいパソコンの使用時間が短くなってしまう。
【０００５】
また、マイコンの内部に備えるフラッシュメモリにオフセット補正値を記憶する従来の事例は、簡単な検出回路で精度よく電池の残存容量を検出することを目的としており、電池の開放電圧と、充放電停止時の検出電流値のＸ回数の平均値とでオフセット電流値を計算してマイコン内部の不揮発性メモリに記憶し、次の充放電時に検出した電流値を積算して、不揮発性メモリから開放電圧とオフセット補正値を読み出し、電池の残容量を算出する。この方法は、書き込みおよび読み出しの速度が遅い他、書き込み回数にも制限がある点で課題が残る。マイコンの故障時のバックアップ手段もない。
【０００６】
本発明は上記の課題を解決するためになされたものであり、パソコン等の情報処理装置において、工場出荷時やマイコンのリセット時においても満充電を正確に検出することにより、過充電による電池の発熱等に係わる事故の防止を可能にする２次電池の充電制御方法および情報処理装置を提供することを目的としている。
【課題を解決するための手段】
【０００７】
上記目的を達成するために、本発明の２次電池の充電制御方法は、２次電池の充電電流を電流検出手段で検出し、電流検出手段で検出された充電電流に基づいて充電を制御する２次電池の充電制御方法であって、不揮発性メモリから電流検出手段のオフセット補正値を読み出し、揮発性メモリに書き込むステップと、２次電池の充電を開始するステップと、電流検出手段が充電電流を検出するステップと、電流検出手段が検出した充電電流を揮発性メモリに書き込まれたオフセット補正値で補正するステップと、補正後の充電電流が所定値以下の場合に、２次電池は満充電状態と判定して充電を停止するステップと、を備えることを特徴とする。
【０００８】
このような方法により、ＥＥＰＲＯＭ（不揮発性メモリ）から電流検出手段のオフセット補正値を読み込んでＲＡＭ（揮発性メモリ）に格納し、ＲＡＭからオフセット補正値を読み出して検出した充電電流を補正することが可能となる。その結果、工場出荷後やマイコンがリセットされた場合でも、ＥＥＰＲＯＭに記憶された情報に基づいて電流検出手段のオフセット値を正確に補正することが可能であり、２次電池の過充電を防止することができる。また、マイコンなどの制御手段に電源が供給されている間は内部に備えるＲＡＭ上でオフセット補正値の読み書きができるので充電制御が高速に行えるとともに、オフセット補正値の書き込み回数の制限もない。さらに、マイコンが故障した場合であってもＥＥＰＲＯＭは動作が可能であり、オフセット補正値が消去されることがない。
【０００９】
また本発明の２次電池の充電制御方法では、電流検出手段のオフセット値を検出するステップをさらに備え、検出されたオフセット値で、揮発性メモリに記憶されているオフセット補正値を書き換えてもよい。
【００１０】
このような方法により、電流検出手段の周辺の温度環境等が変化して電流検出手段のオフセット値が変化した場合でも、環境変化に対応した最新のオフセット補正値をＲＡＭに記憶することができる。これにより、ＲＡＭから読み出したオフセット補正値で充電電流を補正すれば電流検出精度をさらに上げることができる。
【００１１】
また本発明の２次電池の充電制御方法では、揮発性メモリに記憶されているオフセット補正値と、不揮発性メモリに記憶されているオフセット補正値との差が所定値以上である場合には、不揮発性メモリのオフセット補正値を揮発性メモリのオフセット補正値で書き換えてもよい。
【００１２】
このような方法により、電流検出手段の周辺の温度環境等が変化して電流検出手段のオフセット値が変化した場合でも、環境変化に対応した最新のオフセット補正値をＥＥＰＲＯＭに記憶することができる。これにより、マイコンがリセットされた場合でも、環境変化に対応した最新のオフセット補正値で充電電流の補正ができる。
【００１３】
また本発明の２次電池の充電制御方法では、不揮発性メモリは、電流検出手段の周辺温度をさらに記憶しており、２次電池の充電時の電流検出手段の周辺温度と、不揮発性メモリに記憶されている周辺温度との差が所定値以上である場合には、不揮発性メモリのオフセット補正値を揮発性メモリのオフセット補正値で書き換えてもよい。
【００１４】
このような方法により、電流検出手段の周辺温度の変化によるオフセット値の変化に迅速かつ簡単に対応できる。
【００１５】
本発明の情報処理装置は、２次電池を搭載した情報処理装置であって、２次電池の充電電流を検出する電流検出手段と、電流検出手段のオフセット補正値を記憶する不揮発性メモリと、揮発性メモリを有し２次電池の充電を制御する制御手段と、を備え、制御手段は、不揮発性メモリのオフセット補正値を読み出して揮発性メモリに書き込み、電流検出手段が検出した充電電流を揮発性メモリに記憶されたオフセット補正値で補正して、補正後の充電電流が所定値以下の場合に満充電状態と判定して充電を停止するように制御することを特徴とする。
【００１６】
また本発明の情報処理装置では、制御手段は、電流検出手段のオフセット値を検出し、検出されたオフセット値で、揮発性メモリに記憶されているオフセット補正値を書き換えてもよい。
【００１７】
また本発明の情報処理装置では、制御手段は、揮発性メモリに記憶されているオフセット補正値と、不揮発性メモリに記憶されているオフセット補正値との差が所定値以上である場合には、不揮発性メモリのオフセット補正値を揮発性メモリのオフセット補正値で書き換えてもよい。
【００１８】
また本発明の情報処理装置では、不揮発性メモリは、電流検出手段の周辺温度をさらに記憶しており、制御手段は、２次電池の充電時の電流検出手段の周辺温度と、不揮発性メモリに記憶された周辺温度との差が所定値以上である場合には、不揮発性メモリのオフセット補正値を揮発性メモリのオフセット補正値で書き換えてもよい。
【発明の効果】
【００１９】
本発明によれば、パソコン等の情報処理装置において、工場出荷時やマイコンのリセット時においても満充電を正確に検出することにより、過充電による電池の発熱等に係わる事故の防止を可能にする２次電池の充電制御方法および情報処理装置を提供することができる。
【発明を実施するための最良の形態】
【００２０】
以下、本発明の実施の形態について、図面を参照しながら詳細に説明する。
【００２１】
（実施の形態）
まず、本発明による情報処理装置の電気部に係わる主要な構成について、パソコン（以下、「本装置」とも略記する）を一例として、図１を用いて説明する。
【００２２】
図１は本発明の実施の形態における本装置の電気部の構成を示す図である。図１に示すように本装置は、ワープロ機能やインターネット機能などのパソコンとしての本来の機能を発揮する情報処理部１、電源部２により構成されている。
【００２３】
情報処理部１において、ＣＰＵ１１は、パソコン全体を制御する中央処理装置である。ＨＤＤ（ハードディスクドライブ）１２は各種データとともに、ＯＳや各種アプリケーションソフトを記憶している。キーボード１３はデータ入力や情報処理部１への各種指示に用いる。ＲＯＭ１４にはＢＩＯＳ等の基本動作プログラムが収納される。ＲＡＭ１５は、ＣＰＵ１１のメインメモリとして動作する。ディスプレイ１６は、文字や図形等を表示する。これら符号１１〜１６の構成部は、バス１７で接続され、相互に情報を伝達する。ＤＣ／ＤＣコンバータ１８は、符号１１〜１６の構成部に、それぞれ必要な電圧の電力を供給する。
【００２４】
電源部２は、２次電池２１と、電源制御部４と、電源スイッチ５と、充電制御部６とを備えている。ここで、電源制御部４および充電制御部６はそれぞれ専用のハードウェアで構成してもよいし、マイコン（この種のマイコンは通常、エンベデットコントローラと呼ばれるので、「ＥＣ」ともいう）で構成してもよい。
【００２５】
情報処理部１への電力供給は、２次電池２１からの供給と、ＡＣアダプタ３からの供給とで行われ、これらの電力供給を、バス１７に接続された電源制御部４が管理している。
【００２６】
ＡＣアダプタ３が接続されていない場合には、電源制御部４は、２次電池２１の電力をＤＣ／ＤＣコンバータ１８に供給し、２次電池２１の電池容量がなくなった時や、電源スイッチ５がオフ操作された時には、ＣＰＵ１１に指示してシャットダウン動作を行わせ、その後にＤＣ／ＤＣコンバータ１８への給電を停止する。
【００２７】
また、ＡＣアダプタ３が接続されている場合には、ＡＣアダプタ３からの電力をＤＣ／ＤＣコンバータ１８に供給し、２次電池２１の充電が必要なときは、充電制御部６がＡＣアダプタ３からの供給電力で２次電池２１を充電する。
【００２８】
つぎに、本発明の特徴である２次電池２１の充電に係わる構成および機能について、図２および図３を用いて説明する。図２は図１における充電制御部６の詳細な構成を示すブロック図、図３は充電制御部６の機能を説明するための電流特性図である。
【００２９】
図２に示すように、本装置の充電制御部６は、制御手段であるＥＣ（マイコン）３０、不揮発性メモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）２４、検出回路４０および３種類のセンサ（電流センサ４４、温度センサ４５、電圧センサ４６）を備え、検出回路４０は、さらに電流検出回路４１、温度検出回路４２および電圧検出回路４３を備えている。
【００３０】
電流検出回路（Ａ／Ｄ変換器を含む）４１は電流センサ４４とともに電流検出手段である電流計５０を構成し、検出した電流値をＥＣ３０に出力する。また、温度検出回路４２は温度センサ４５からの検出情報に基づいてＥＣ３０に対して２次電池２１に係わる温度情報を出力することができる。同様に、電圧検出回路４３は、電圧センサ４６からの検出情報に基づいてＥＣ３０に対して２次電池２１に係わる電圧情報を出力する。
【００３１】
ＥＥＰＲＯＭ２４は、２次電池２１の充放電時の電流を検出する電流計５０に係わるオフセット補正値が予め記憶されている。
【００３２】
ＥＣ３０は、内部に揮発性メモリであるＲＡＭを備え、ＥＥＰＲＯＭ２４から電流計５０に係わるオフセット補正値を読み込んでＲＡＭに記憶させ、電流計５０により検出した２次電池２１の充電時の電流値について、ＲＡＭからオフセット補正値を読み出して補正することができる。
【００３３】
以下、電源部２における電流計５０のオフセット値の補正方法および実施手順について、図４を用いて説明する。図４は、２次電池２１の充電に係わる実施手順を示すフローチャートである。
【００３４】
２次電池２１を充電する際には、ＥＣ３０は電流計５０により検出した充電電流の検出結果に基づいて充電を行い、２次電池２１が満充電の状態になると充電を停止する。この場合、満充電になると充電電流の検出値が０になることが予想されるが、実際は、電流を計測するためには、電流センサ４４および電流検出回路（例えば、分解能１０ビット、１１．７ｍＡのＡ／Ｄ変換器など）を使用する必要があり、これらの構成要素は通常オフセットを持っている。したがって、２次電池２１が満充電の状態であっても電流計５０が検出する電流値（オフセット値）はゼロにはならない。この状況を図３に示す。図３は、２次電池２１をＡＣアダプタ３により充電した場合に電流計５０が検出する充電電流の変化の推移を示す。充電開始時の電流値Ｉａは時間の経過とともに減少し、経過時間Ｔｆで２次電池２１は満充電となり、検出される電流値はＩｏで減少を停止する。その後、電流値Ｉｏは種々のノイズの混入によって最大振幅Ａの範囲内で変動しながらこの値を持続する。ここで、電流値Ｉｏが電流計５０に係わるオフセット値である。
【００３５】
オフセット値は、電流計５０の構成要素である電流センサ４４や電流検出回路４１などの製造時のロットばらつきおよび温度特性等により変動する（例えば、最大充電電流２Ａに対して、±２０ｍＡ〜１８０ｍＡなど）。このため、オフセット値が不明な場合には、２次電池２１の充電において満充電の状態を正しく検出することができず、２次電池２１が過充電の状態になり、異常発熱するなどの事故の原因となる。
【００３６】
本装置は、２次電池２１の充電に係わる実験データおよび設計条件に基づいてオフセット補正値を予め算出しておき、製造工程においてオフセット補正値をＥＥＰＲＯＭ２４に書き込み、例えば２次電池２１の残容量が略３０％の状態で出荷する（ステップＳ１：図４においてＳ１と略記し、以下、同様とする。）。
【００３７】
パソコンの使用時には、ＡＣ電源を接続すると、２次電池２１は充電を開始する。このとき、ＥＣ３０は、ＥＥＰＲＯＭ２４からオフセット補正値を読み込んで、ＥＣ内部に備えるＲＡＭ３１にオフセット補正値情報を記憶させ（ステップＳ２）、その後、２次電池２１の充電を開始する（ステップＳ３）。
【００３８】
充電を開始すると、電流計５０は、電流センサ４４および電流検出回路４１により充電電流を検出し（ステップＳ４）、ＲＡＭ３１からオフセット補正値を読み出して検出した電流値の補正を行う（ステップＳ５）。
【００３９】
つぎに、補正後の電流値を予め設定された閾値と比較し、充電継続可否の判定を行う（ステップＳ６）。このとき、補正後の電流値が閾値を超える場合は充電を継続し、補正後の電流値が閾値以下になった場合には、２次電池２１が満充電の状態になったと判定して充電を停止し、２次電池２１の充電を終了する（ステップＳ７）。
【００４０】
充電を終了した後、満充電状態で測定したオフセット値でＲＡＭ３１のオフセット補正値を書き換えるとともに、ＥＥＰＲＯＭ２４に保存されているオフセット補正値との差異を比較し（ステップＳ８）、差異が所定の閾値を超える場合は、パソコンの電源がＯＦＦになった後、つぎの電源ＯＦＦまでの間に一度、ステップＳ８で使用した最新のオフセット補正値をＥＥＰＲＯＭ２４に保存し、オフセット補正値の書き換えを行い（ステップＳ９）、２次電池２１の充電および補正動作を終了する（ステップＳ１０）。差異が所定の閾値以下である場合は、オフセットの書き換えを行うことなく、２次電池２１の充電および補正動作を終了する（ステップＳ１０）。
【００４１】
なお、満充電におけるオフセット値の測定精度を高めるためには、電流計５０の電流センサ４４および電流検出回路４１に混入するノイズの影響を除く必要がある。一例として、図３において充電電流値が振幅値Ｉｏ付近の所定の数値範囲に至った場合は、電流値（ＡＤ変換値）を１分間に６０回測定し、その平均値を算出してオフセット値としてもよい。また、前回のオフセット補正値との間で平均化することによりさらに測定精度を高めることができる。この方法により、オフセット値を正確かつ確実に測定し、満充電の判定を誤りなく行うことができる。
【００４２】
なお、上記の例では、工場出荷後に始めてパソコンの２次電池２１に充電する場合を想定したが、通常使用時でもＥＣ３０がリセットされた状況（２次電池およびＡＣ電源からの電力供給がなくなる）から、初めて２次電池２１を充電する場合には、この処理手順に従って充電電流のオフセット補正が行われる。
【００４３】
また、本装置では、ＥＥＰＲＯＭ２４にオフセット補正値に加えて、電流センサ４４や電流検出回路４１の周辺の温度情報を保存しておき、２次電池２１の充電開始時に温度センサ４５が検出した温度と比較することにより、ＥＰＲＯＭ２４に保存された温度情報との差異が所定の閾値より大きい場合、ＥＥＰＲＯＭ２４のオフセット補正値を書き換えるようにしてもよい。この方法により、本装置を温度等の環境変化にも対応可能に構成し、多様な温度環境においても、確実かつ正確にオフセット値を補正することができ、２次電池２１の過充電を防止する効果を発揮することができる。
【００４４】
以上の通り、本発明の実施の形態の２次電池２１の充電制御方法における電流計５０のオフセット補正方法は、オフセット補正値をＥＣ３０内部のＲＡＭ３１にだけ記憶させる従来の方法と異なり、電源（ＡＣ電源または２次電池）からの電力供給が停止し、ＲＡＭ３１の内容がリセットされた場合にも、ＥＥＰＲＯＭ２４に記憶した電流計５０のオフセット補正値情報を読み込むことができる。これにより、情報処理装置の出荷時や、ＥＣ３０の電源が遮断された場合、ＥＣ３０の故障などでオフセット補正値情報がリセットされても、電流計５０のオフセット値の補正を確実に行うことができ、２次電池２１が過充電の状態になることがない。また、ＥＣ３０に電源が供給されている場合は、ＲＡＭ３１上で補正値の読み書きを行うため、オフセット補正値をＥＣ３０内部のフラッシュメモリに読み書きする方法に較べて、オフセット値の補正に係わる情報処理を高速化することができ、書き込み回数の制限もない。さらには、２次電池２１の使用時における温度等の環境変化にも確実に対応することができる。
【００４５】
なお、図２に示した温度検出回路４２および電圧検出回路４３は２次電池２１の中にあってもよい。
【産業上の利用可能性】
【００４６】
本発明は、２次電池を電源とする情報処理装置全般に適用することができる。
【図面の簡単な説明】
【００４７】
【図１】本発明の実施の形態における情報処理装置の電気部の構成を示す図
【図２】同装置における充電制御部の詳細な構成を示すブロック図
【図３】同装置における充電制御部の機能を説明するための電流特性図
【図４】同装置における２次電池の充電に係わる実施手順を示すフローチャート
【符号の説明】
【００４８】
１    情報処理部
２    電源部
３    ＡＣアダプタ
４    電源制御部
５    電源スイッチ
６    充電制御部
１１    ＣＰＵ
１２    ＨＤＤ（ハードディスクドライブ）
１３    キーボード
１４    ＲＯＭ
１５，３１    ＲＡＭ
１６    ディスプレイ
１７    バス
１８    ＤＣ／ＤＣコンバータ
２１    ２次電池
２４    ＥＥＰＲＯＭ
３０    マイコン（ＥＣ）
４０    検出回路
４１    電流検出回路
４２    温度検出回路
４３    電圧検出回路
４４    電流センサ
４５    温度センサ
４６    電圧センサ
５０    電流計
【図１】
2010130872.tif 000003
【図２】
2010130872.tif 000004
【図３】
2010130872.tif 000005
【図４】
2010130872.tif 000006